(57)【要約】【課題】  情報記録中に誤った電源オフ操作が行なったとしても記録を停止することなく情報の記録を継続できる記録装置を提供すること。【解決手段】  情報を記録媒体１４に記録する記録機構部１３と、ユーザの操作により情報の記録の開始、終了を指示する記録操作部１６と、ユーザの操作により電源のオン、オフを指示する電源操作部１７とを備え、記録機構部１３により情報の記録が行なわれている時には、ユーザが電源操作部１７によって誤って電源のオフを操作しても電源をオフしないように制御回路１５が制御を行う。【選択図】  図１
2005210544.tif 000002
【特許請求の範囲】
【請求項１】
情報を記録媒体に記録する記録手段と、
ユーザの操作により情報の記録の開始、終了を指示する第１の指示手段と、
ユーザの操作により電源のオン、オフを指示する第２の指示手段とを備え、
前記記録手段により情報の記録が行なわれている時には、ユーザが前記第２の指示手段によって前記電源のオフを操作しても前記電源をオフしないように構成することを特徴とする記録装置。
【請求項２】
請求項１記載の記録装置において、前記第１の指示手段と前記第２の指示手段とが、略同じ高さに配置され、かつ互いに略５ｃｍ以内に近接して配置されていることを特徴とする記録装置。
【請求項３】
請求項１または２記載の記録装置において、前記第２の指示手段は、電源のオン、オフの指示、動画記録の指示及び静止画記録の指示を、回転体を回転させることで指示できる構成であることを特徴とする記録装置。
【発明の詳細な説明】
【技術分野】
【０００１】
本発明は、情報を記録する情報記録技術に関し、特に情報記録中における電源スイッチの誤操作防止技術に関するものである。
【背景技術】
【０００２】
従来より被写体を電気映像信号に変換して記録媒体に記録する様々なビデオカメラが提案されている。近年のビデオカメラは小型化が進み、片手で電源オン／オフ操作や記録開始／停止操作を行なう事ができる。これら従来のビデオカメラでは、記録中であっても電源ボタンもしくは電源スイッチにより電源切りの操作がおこなわれると、記録を終了させて電源を切る処理が行なわれる。
【０００３】
一方、ＶＴＲ（Ｖｉｄｅｏ  Ｔａｐｅ  Ｒｅｃｏｒｄｅｒ）における従来技術では、通常の記録中に電源ボタン操作をした場合には、上記ビデオカメラと同じように記録を終了して電源を切る処理が行なわれるが、タイマー予約による記録中に電源ボタン操作をされた場合には電源ボタンの入力を無効にしタイマー記録が継続するようになっている。これはタイマー予約記録を設定した使用者はタイマー予約による記録中は、そのＶＴＲから離れている場合が殆どであり、使用者がその場を離れている間に、電源の切り忘れと思い違いをした第三者の手によってＶＴＲの電源操作が行われタイマー記録を途中で中断される事を防ぐ為である。
【０００４】
また、電子カメラにおける他の従来技術では、外部機器との接続ケーブルが接続されている場合には電源ボタンの入力を無効化し、通信中断を防止している。（例えば、特許文献１参照）
【０００５】
【特許文献１】特開２００２−７７６８９号公報
【発明の開示】
【発明が解決しようとする課題】
【０００６】
近年のビデオカメラの小型化により、電源操作部と記録操作部は隣接して配置され、装置を持ち替える事無く片手の親指で電源操作部と記録操作部のどちらでも容易に操作できる状態になっている事が多くなっている。ビデオカメラで被写体を記録するときは、使用者はファインダーの被写体画像を見ており、電源操作部や記録操作部を見てはいない。そのため、これら従来のビデオカメラでは、電源操作部と記録操作部が隣接している為に、記録中に誤って電源操作部に触れてしまい記録が中断してしまうという不具合が発生し易くなっている。このような誤操作が起こると、記録を停止して電源を切る処理が行なわれてしまうので、使用者が誤操作に気がついて再度電源を入れ撮影録画を再開するまでには時間がかかってしまう。そのため、撮影の機会を逃してしまう場合があるという問題がある。
【０００７】
しかしながら、上記ＶＴＲにおける従来技術では、予約した番組の記録中における電源操作部の誤操作には配慮されているが、撮影画像を記録している最中の電源操作部の誤操作には配慮がなされていないという問題があった。また、上記特許文献１記載の電子カメラにおける従来技術では、外部機器と通信中の電源操作部の誤操作には配慮されているが、撮影画像を記録している最中の電源操作部の誤操作には配慮されていないという問題があった。
【０００８】
本発明の目的は、情報記録中に誤った電源オフ操作が行なわれても記録を停止することなく記録を継続し、誤操作による記録停止を防ぐことのできる記録装置を提供することにある。
【課題を解決するための手段】
【０００９】
上記課題を解決するために、本発明は、情報を記録媒体に記録する記録手段と、ユーザの操作により情報の記録の開始、終了を指示する第１の指示手段と、ユーザの操作により電源のオン、オフを指示する第２の指示手段とを備え、前記記録手段により情報の記録が行なわれている時には、ユーザが前記第２の指示手段によって前記電源のオフを操作しても前記電源をオフしない記録装置とする。
【００１０】
特に、本発明は、前記第１の指示手段と前記第２の指示手段とが、略同じ高さに配置され、かつ互いに略５ｃｍ以内に近接して配置されている記録装置に有効である。
【００１１】
また、本発明は、前記第２の指示手段を、電源のオン、オフの指示、動画記録の指示及び静止画記録の指示を、回転体を回転させることで指示できる構成とした記録装置にも有効である。
【００１２】
さらに、本発明は、前記記録手段が、前記情報をメモリに蓄積してから前記記録媒体に記録する構成であり、前記第１の指示手段によって記録終了を指示した後も前記情報の記録を行う記録装置にも有効である。
【発明の効果】
【００１３】
本発明により、情報記録中に誤った電源オフ操作が行なわれても記録を停止することなく記録を継続し、誤操作による記録停止を防ぐことができる。
【発明を実施するための最良の形態】
【００１４】
以下、本発明の実施例について図面を用いて説明する。
【００１５】
図１は、本発明を適用した実施例である記録装置のブロック図である。本実施例における記録装置は、記録媒体であるＤＶＤ（Digital Versatile Disc）に情報として動画や静止画を記録することができるＤＶＤカメラである。図１において、撮像回路１１は被写体を電気映像信号に変換する。信号処理回路１２は電気映像信号を記録媒体であるＤＶＤに記録できる形式（フォーマット）の記録データに変換する。この信号処理回路１２では、記録データを一旦メモリに蓄えてから記録機構部１３に出力する。ただし、電気映像信号を一旦メモリに蓄えてから記録データフォーマット変換して記録機構部１３に出力する構成としても良い。
【００１６】
記録機構部１３はＤＶＤ１４に映像データを記録する。記録媒体１４はＤＶＤ−ＲＡＭ（Random Access Memory）等のＤＶＤであるものとして説明する。ただし、記録媒体１４はＤＶＤ−ＲＡＭ等のＤＶＤに限られるものではない。制御回路１５は信号処理回路１２及び記録機構部１３の動作を制御する。
【００１７】
ユーザは、記録操作部１６を操作することにより、制御回路１５に情報の記録開始及び停止を指示することができる。また、ユーザは、電源操作部１７を操作することにより、制御回路１５に電源オン及びオフを指示することができる。なお、ユーザは、動作操作部１８を操作することにより、制御回路１５に記録／電源以外の各種の動作を指示することができる。なお、記録操作部１６、電源操作部１７及び動作操作部１８は、ボタン、スイッチ、キー、レバーといったユーザが指で操作できる部材で構成する。
【００１８】
まず、記録装置の電源オンから情報の記録開始までの処理を説明する。記録装置は、まず電源操作部１７から電源オンの指示を受け、制御回路１５に伝える。制御回路１５は、電源オンの指示を受けると、撮像回路１１、信号処理回路１２、記録機構部１３を記録準備状態にする。この状態で、記録操作部１６を操作すると、情報の記録を開始する。
【００１９】
具体的には、撮像回路１１において被写体の画像を撮像素子等を用いて電気映像信号に変換し信号処理回路１２に出力する。また、制御回路１５は、記録機構部１３から記録媒体１４の種別情報を入手し信号処理回路１２に伝える。撮像回路１１から電気映像信号を受け取った信号処理回路１２は、電気映像信号を制御回路１５より入力された記録媒体１４の種別に応じたフォーマット変換して記録データを生成し、記録機構部１３に出力する。記録機構部１３では信号処理回路１３より入力された記録データを、記録媒体１４の種別に応じた記録方式で記録媒体１４に記録する。尚、任意のタイミングで、動作操作部１８からの指示により、制御回路１５は、撮像回路１１に対して自動もしくは手動によるマニュアルフォーカス調整、ズーム調整等の制御を行うことができるようになっている。
【００２０】
次に、情報の記録停止から記録装置の電源オフまでの処理を説明する。記録装置が記録状態の時に、記録操作部１６を操作して記録停止を指示されると、記録を停止し記録準備状態になる。信号処理回路１２では、制御回路１５から記録停止指示が出されるまでに取り込んだ電気映像信号を記録データに変換した後、記録終了の信号データを付けて記録機構部１３に信号を出力する。記録機構部１３では記録フォーマットに変換された映像データを記録媒体１４に記録し、記録終了の信号データを記録媒体１４に記録し終えた時に、制御回路１５に正常記録終了の情報を伝える。この正常記録終了情報が制御回路１５に伝えられた後に、電源操作部１７より電源切りの命令が出されると、制御回路１５は、撮像回路１１、信号処理回路１２、記録機構部１３の電源を切り、記録装置を電源オフ状態にする。
【００２１】
次に、情報を記録している状態から電源オフの命令が出された場合の処理を説明する。記録装置が記録状態の時に、電源操作部１７の操作により電源オフの指示が出されると、制御回路１５は現在の動作モードを判別する。制御回路１５は、撮像回路１１からの映像信号を記録媒体１４に記録中であると判別した場合には、電源操作部１７からの電源オフの指示を無効として、情報の記録を継続する。
【００２２】
上記記録動作中の状態における制御回路１５の動作手順を図２のフローチャートを用いて説明する。記録動作中の状態（ステップＳ２０１）においては、制御回路１５は、操作有無判別状態（ステップＳ２０２）となる。各操作部の操作が無い場合（ステップＳ２０２：ＮＯ）にはステップＳ２０２で記録動作を継続し、かつ操作有無判別状態を維持する。いずれかの操作部の操作が有った場合（ステップＳ２０２：ＹＥＳ）には、制御回路１５は、操作の種類の判別を行う（ステップＳ２０３）。操作の種類が電源操作部１７からのものであった場合（ステップＳ２０３：ＣＡＳＥ１）には、制御回路１５は、現在の動作モードが記録中であることを判別し、操作有無判別状態（ステップＳ２０２）に戻り、電源をオフすることはない。
【００２３】
一方、操作が動作操作部１８からのものであった場合（ステップＳ２０３：ＣＡＳＥ２）には、制御部１５は、動作操作部１８からの指示に応じたズーム調整等の処理（ステップＳ２０４）を行い、操作有無判別状態（ステップＳ２０２）に戻る。
【００２４】
また、操作が記録操作部１６からのものであった場合（ステップＳ２０３：ＣＡＳＥ３）には、制御回路１５は記録停止指示と判別し、操作があった時点までの記録データの記録媒体１４への記録が終了したかを確認する（ステップＳ２０５）。記録が終了していない場合（ステップＳ２０５：ＮＯ）には、ステップＳ２０５の状態を維持する。記録が終了した場合（ステップＳ２０５：ＹＥＳ）には、記録処理が終了となり記録準備状態になる（ステップＳ２０６）。
【００２５】
次に、図３を用いて記録準備状態における制御回路１５の動作手順を説明する。記録準備状態（ステップＳ３０１）においては、操作有無判別状態（ステップＳ３０２）となり、各操作部の操作がなされない（ステップＳ３０２：ＮＯ）限り、制御回路１５は、この操作有無判別状態を維持する。いずれかの操作部の操作が有った場合（ステップＳ３０２：ＹＥＳ）には、制御回路１５は、操作の種類判別を行う（ステップＳ３０３）。操作が電源操作部１７からのものであった場合（ステップＳ３０３：ＣＡＳＥ１）には、制御回路１５は、電源オフ処理が開始される（ステップＳ３０４）。操作が動作操作部１８からのものであった場合（ステップＳ３０３：ＣＡＳＥ２）には、制御回路１５は、動作操作部１８からの指示に応じたズーム調整等の処理（ステップＳ３０５）を行い、キー入力判別状態（ステップＳ３０２）に戻る。操作が記録操作部１６からのものであった場合（ステップＳ２０３：ＣＡＳＥ３）には、制御回路１５は、記録処理を開始する（ステップＳ３０６）。
【００２６】
図２及び図３で説明したように、記録中に電源操作部１７から電源オフの操作を行っても電源オフの処理を行わずに情報の記録を継続する。記録準備状態においては、電源操作部から電源オフの操作を行った場合には、電源オフの処理を実行する。このように、電源操作部１７から電源オフの操作があった場合には、制御回路１５は、動作モードを判別して処理を変えるようになっている。従って、部品を追加して機械的に誤操作を防止する構成をとらなくてもよいので、コスト増加を押さえることができ、かつＤＶＤカメラの小型化、薄型化に寄与できる。さらには、ユーザに誤操作防止のための操作を行わせる必要がなくなり、ユーザの使い勝手も向上する。
【００２７】
ここで、本実施例のＤＶＤカメラにおける記録操作部１６と電源操作部１７の位置関係を説明する。図４は、記録ボタンと電源スイッチの位置関係を示す図である。図４において、記録ボタン４１６が記録操作部１６に相当し、電源スイッチ４１７が電源操作部１７に相当する。
【００２８】
記録ボタン４１６を押すことにより記録開始及び停止操作を操作することができる。このＤＶＤカメラは、記録状態ではない時に記録ボタン４１６を押すと記録を開始し、記録状態の時に記録ボタン４１６を押すと記録を停止する。また、電源スイッチ４１７により電源のオン／オフ操作を行う。図４に示すように、記録ボタン４１６と電源スイッチ４１７は、ＤＶＤカメラを持ち替える事無く同じ指、例えば右手親指で操作できる様に、隣接して配置されている。更に具体的には、記録ボタン４１６と電源スイッチ４１７とは、略同じ高さに配置され、お互いの距離Ｗが略５ｃｍ以内となるように配置されている。
【００２９】
以上説明したような位置関係の場合には、記録中に誤って電源スイッチ４１７に触れ、電源オフ操作をする事が考えられる。本実施例では、このような場合にも、記録データの記録状態にある時には、電源スイッチ４１７の操作を無効化するので、記録中に誤った電源操作による記録機会損失を防止することが可能となり、記録停止を防ぐことができるメリットは大きい。
【００３０】
さらに、電源スイッチ４１７がプッシュスイッチやレバー型のスイッチ構造の場合には、特にビデオカメラ使用者の意図しない電源スイッチに対する誤操作の可能性が大きくなる。このようなＤＶＤカメラの場合には記録中の誤った電源操作による記録中断を防ぐ為に、記録中に電源操作が行われても電源処理を行わないとした本実施例は、記録機会損失防止にさらに有効である。
【００３１】
図５及び図６は、電源スイッチ４１７の詳細な構成図である。スイッチ５０１は回転体５０２とは異なる色を有しており、このスイッチ５０１を押しながら回転体５０２を回転させることで、「静止画記録（ディスク）」「動画記録」「電源オフ」「静止画記録（半導体カード）」という４種類の状態に切り替えることができる。このようなスイッチとすることにより、ＤＶＤカメラを持ち替える事無く同じ指、例えば右手親指で電源のオン／オフを簡単に操作できる。なお、「静止画記録（ディスク）」「動画記録」「静止画記録（半導体カード）」は、情報を記録する状態を意味するので、スイッチ５０１をこれらの場所に移動させたら、ＤＶＤカメラの電源がオンになるのはいうまでもない。また、本実施例において、「静止画記録（ディスク）」は、静止画を記録媒体１４に記録できる状態を、「動画記録」は動画を記録媒体１４に記録できる状態を、「静止画記録（半導体カード）」は静止画を記録媒体１４とは異なる記録媒体である半導体カードに記録できる状態をそれぞれ意味する。
【００３２】
図６は電源オフから動画記録を指示するときの操作方法を示している。図６（ａ）に示すように「電源オフ」の場所に位置するスイッチ５０１を押しながら、図６（ｂ）に示すようにスイッチ５０１が「動画記録」の場所に位置するように回転体５０２を回転させる。
【００３３】
本実施例のような電源スイッチ４１７では、回転させる勢いが余って、「電源オフ」の場所にスイッチ５０１が移動してしまい、誤操作の可能性が大きくなる。このようなＤＶＤカメラの場合には記録中の誤った電源操作による記録中断を防ぐ為に、記録中に電源操作が行われても電源処理を行わないとした本実施例は、記録機会損失防止にさらに有効である。
【００３４】
上記実施例においては、記録媒体としてＤＶＤ−ＲＡＭ等のディスクメディアを用いて説明したが、記録媒体はこれに限るものではない。例えば、本発明はビデオテープ等のテープメディアに対しても適用可能である。
【図面の簡単な説明】
【００３５】
【図１】本発明を適用した実施例であるＤＶＤカメラのブロック図である。
【図２】記録動作中のキー入力処理を説明するフローチャートを示す図である。
【図３】記録準備状態でのキー入力処理を説明するフローチャートを示す図である。
【図４】本実施例の記録ボタン４１６及び電源スイッチ４１７の配置を説明する図である。
【図５】電源スイッチ４１７の詳細な構成図である。
【図６】電源スイッチ４１７の詳細な構成図である。
【符号の説明】
【００３６】
１１  撮像回路
１２  信号処理回路
１３  記録機構部
１４  記録媒体
１５  制御回路
１６  記録操作部
１７  電源操作部
１８  動作操作部
【図１】
2005210544.tif 000003
【図２】
2005210544.tif 000004
【図３】
2005210544.tif 000005
【図４】
2005210544.tif 000006
【図５】
2005210544.tif 000007
【図６】
2005210544.tif 000008